(57)【要約】【課題】電源スイッチのオン操作時に、他の電気機器で発生したノイズが常時電源回路を通じて電気設備内へ侵入することを防止する。【解決手段】電源としてのバッテリ１と、このバッテリ１によって駆動されるラジオ２とを結ぶ電源回路として、電源スイッチ３によって開閉される主機能電源回路４と、常時通電される常時電源回路５とを備え、ノイズ源となる他の電気機器６が、電源スイッチ３のオン操作時に作動する状態で主機能電源回路４に接続される。この回路構成を前提として、リレー１３のコイル１４を主機能電源回路４に接続するとともに、リレー接点１５を常時電源回路５に設け、電源スイッチ３のオン操作時に常時電源回路５を遮断するようにした。【選択図】図１
2008199690.tif 000002
【特許請求の範囲】
【請求項１】
電源としてのバッテリと、このバッテリによって駆動される電気設備とを結ぶ電源回路として、電源スイッチによって開閉される主機能電源回路と、常時通電される常時電源回路とを備え、上記主機能電源回路はノイズを除去する保護回路を介して、上記常時電源回路は直接、それぞれ上記電気設備に接続され、かつ、ノイズ源となる他の電気機器が、上記電源スイッチのオン操作時に作動する状態で上記主機能電源回路に接続された建設機械の電気回路において、上記電源スイッチのオン操作時に上記常時電源回路による電気設備への電源供給を停止して常時電源回路を通じたノイズの侵入を防止する開閉手段が設けられたことを特徴とする建設機械の電気回路。
【請求項２】
電気設備として、選局機能及び音声出力機能を備えた主機能部と、時計機能やメモリ機能等の補助機能を備えた補助機能部とから成るラジオが主機能電源回路及び常時電源回路を介してバッテリに接続されたことを特徴とする請求項１記載の建設機械の電気回路。
【請求項３】
開閉手段としてのリレーのコイルが主機能電源回路に、リレー接点が常時電源回路にそれぞれ接続され、電源スイッチのオン操作時に上記リレー接点が開いて常時電源回路を遮断することにより電気設備への電源供給が停止するように構成されたことを特徴とする請求項１または２記載の建設機械の電気回路。
【請求項４】
常時電源回路による電気設備への電源供給が停止した瞬間の一時的な電源となる遅延手段が常時電源回路に接続されたことを特徴とする請求項１乃至３のいずれか１項に記載の建設機械の電気回路。
【発明の詳細な説明】
【技術分野】
【０００１】
本発明は油圧ショベル等の建設機械においてラジオ等の電気設備に対するノイズ対策を施した電気回路に関するものである。
【背景技術】
【０００２】
従来、たとえば特許文献１に示されたラジオ付きの建設機械において、最近の電子化に伴い、チョッパ等のノイズ発生要因を備えた他の電気機器がラジオと並列に接続されることで、ラジオ回路にノイズが侵入し、音声に雑音が乗って聴きづらい等の障害が起こっている。
【０００３】
この点を詳述する。図３は従来のラジオ回路を示し、電源としてのバッテリ１とラジオ２とを結ぶ電源回路として、電源スイッチ（通常はキースイッチ）３によって開閉される主機能電源回路４と、常時通電される常時電源回路５とを備え、ノイズ源となる他の電気機器６がラジオ２と並列状態で主機能電源回路４に接続されている。
【０００４】
ラジオ２の内部構成を図４に示す。
【０００５】
ラジオ２は、選局機能及び音声出力機能によってラジオ本来の作動を行う主機能部７と、時計機能及び選局状態の保持等のメモリ機能によって主機能部７を補助する作動を行う補助機能部８とから成っている。
【０００６】
主機能部７は、ノイズを除去する保護回路９を介して主機能電源回路４に、補助機能部８は直接常時電源回路５にそれぞれ接続されている。
【０００７】
なお、ラジオ２内に、電源スイッチ３のオフ時（主機能電源回路４の遮断時）に常時電源回路５から主機能部７の一部に電源を供給するための第１補助電源回路１０と、常時電源回路５が断線等によって遮断された場合に主機能電源回路４から補助機能部８に電源を供給するための第２補助電源回路１１とが設けられている。
【特許文献１】特開２００１−１６４６０２号公報
【発明の開示】
【発明が解決しようとする課題】
【０００８】
このラジオ回路において、電源スイッチ３がオン操作されると、他の電気機器６が作動することによって発生したノイズが電源スイッチ３−常時電源回路５の径路でラジオ２に侵入し、主、補助両機能部７,８の機能を阻害して音声出力に雑音が乗る等、正常なラジオ作動が妨げられることとなっていた。
【０００９】
この点の対策として、ラジオ２内で常時電源回路５にも保護回路を接続することが考えられるが、特注品となるため高価となること、バッテリ上がりの原因となる等の点で現実には困難であった。
【００１０】
このようなノイズによる作動障害の問題は、とくにラジオ回路に顕著であるが、これと同様の状況下で使用される他の電気設備（エアコンやＧＰＳ送受信設備）にも生じており、この点の解決が望まれていた。
【００１１】
そこで本発明は、電源スイッチで開閉される主機能電源回路と常時電源回路とによって電気設備を作動させる回路構成を前提として、電源スイッチのオン操作時に他の電気機器からのノイズの侵入を防止し、電気設備の正常な作動を確保することができる建設機械の電気回路を提供するものである。
【課題を解決するための手段】
【００１２】
請求項１の発明は、電源としてのバッテリと、このバッテリによって駆動される電気設備とを結ぶ電源回路として、電源スイッチによって開閉される主機能電源回路と、常時通電される常時電源回路とを備え、上記主機能電源回路はノイズを除去する保護回路を介して、上記常時電源回路は直接、それぞれ上記電気設備に接続され、かつ、ノイズ源となる他の電気機器が、上記電源スイッチのオン操作時に作動する状態で上記主機能電源回路に接続された建設機械の電気回路において、上記電源スイッチのオン操作時に上記常時電源回路による電気設備への電源供給を停止して常時電源回路を通じたノイズの侵入を防止する開閉手段が設けられたものである。
【００１３】
請求項２の発明は、請求項１の構成において、電気設備として、選局機能及び音声出力機能を備えた主機能部と、時計機能やメモリ機能等の補助機能を備えた補助機能部とから成るラジオが主機能電源回路及び常時電源回路を介してバッテリに接続されたものである。
【００１４】
請求項３の発明は、請求項１または２の構成において、開閉手段としてのリレーのコイルが主機能電源回路に、リレー接点が常時電源回路にそれぞれ接続され、電源スイッチのオン操作時に上記リレー接点が開いて常時電源回路を遮断することにより電気設備への電源供給が停止するように構成されたものである。
【００１５】
請求項４の発明は、請求項１乃至３のいずれかの構成において、常時電源回路による電気設備への電源供給が停止した瞬間の一時的な電源となる遅延手段が常時電源回路に接続されたものである。
【発明の効果】
【００１６】
本発明によると、電源スイッチのオン操作時に、ノイズ侵入径路である常時電源回路による電気設備への電源供給を開閉手段によって停止する構成としたから、常時電源回路を通じた電気設備内へのノイズの侵入を食い止め、電気設備の正常作動を確保することができる。
【００１７】
とくにノイズの影響を受け易いラジオを対象とする請求項２の発明によると、ノイズによる雑音を排除し、高音質の音声出力状態を保つことができる。
【００１８】
この場合、請求項３の発明によると、開閉手段としてリレーを用いているため、構成が簡単で、低コストですむ。
【００１９】
請求項４の発明によると、常時電源回路による電源供給の停止時に一時的な電源となる遅延手段（たとえばコンデンサ）を設けたから、電気設備が無電源状態となることを防止することができる。
【発明を実施するための最良の形態】
【００２０】
本発明の実施形態を図１,２によって説明する。実施形態ではラジオ回路を適用対象として例示している。
【００２１】
第１実施形態（図１参照）
この回路の基本的な構成は図３に示す従来回路と同じである。
【００２２】
すなわち、電源としてのバッテリ１とラジオ２とを結ぶ電源回路として、電源スイッチ３によって開閉される主機能電源回路４と、常時通電される常時電源回路５とを備え、ノイズ源となる他の電気機器６がラジオ２と並列状態で主機能電源回路４に接続されている。
【００２３】
また、ラジオ２の内部構成は図４に示す従来のものと全く同じのため、必要に応じ図４を引用するものとしてここでは図示、説明を省略する。
【００２４】
実施形態回路において、開閉手段としてのリレー１３のコイル１４が主機能電源回路４に、リレー接点（常閉接点）１５が常時電源回路５にそれぞれ設けられ、図１破線で示す電源スイッチ３のオン操作時に、コイル１４が励磁されてリレー接点１５が開き、常時電源回路５が遮断されるように構成されている。
【００２５】
この構成により、電源スイッチ３のオン操作時に、常時電源回路５によるラジオ２への電源供給が自動停止するため、他の電気機器６で発生したノイズが常時電源回路５を通じてラジオ２内に侵入することを確実に防止することができる。
【００２６】
従って、ラジオ出力にノイズによる雑音が混じるおそれがなくなり、高音質の音声出力状態を確保することができる。
【００２７】
ところで、この回路構成によると、上記のように電源スイッチ３がオン操作されて常時電源回路５が遮断された瞬間、ラジオ２が無電源状態となり、図４の補助機能部８の時計設定やメモリ内容が失われるおそれがある。
【００２８】
そこでこの実施形態においては、常時電源回路５に遅延手段としてのコンデンサ１６が接続され、電源スイッチ３のオン操作時に常時電源回路５がリレー接点１５で遮断された瞬間に、このコンデンサ１６の放電作用によって電源を確保し、補助機能部８の作動を維持するように構成されている。
【００２９】
第２実施形態（図２参照）
第１実施形態との相違点のみを説明する。
【００３０】
第２実施形態においては、第１実施形態のリレー１３に代わる非接点式の開閉手段（スイッチング素子）としてトランジスタが用いられている。
【００３１】
すなわち、エミッタ接地型のトランジスタ１７のコレクタ端子が常時電源回路５に、ベース端子が主機能電源回路４にそれぞれ抵抗１８,１９を介して接続されている。２０はベース−エミッタ端子間に接続された抵抗である。
【００３２】
この回路構成によると、電源スイッチ３のオフ状態ではベース電流が流れず、トランジスタ１７が非導通状態となるため、常時電源回路５によってラジオ２に電源が供給される状態となる。
【００３３】
この状態から電源スイッチ３がオン操作されると、ベース電流が流れてトランジスタ１７が導通し、コレクタ電位が低下することで常時電源回路５によるラジオ２への電源供給が停止する。このため、常時電源回路５を通じたラジオ２内へのノイズの侵入が食い止められる。
【００３４】
つまり、この構成によっても第１実施形態と基本的に同じ作用効果を得ることができる。
【００３５】
ところで、本発明は上記実施形態で例示したラジオ回路においてとくに顕著な効果が得られるが、ラジオ回路以外（前記したエアコン回路やＧＰＳ送受信回路等）にも適用することができる。
【図面の簡単な説明】
【００３６】
【図１】本発明の第１実施形態にかかるラジオ回路の回路図である。
【図２】本発明の第２実施形態にかかるラジオ回路の回路図である。
【図３】従来のラジオ回路の回路図である。
【図４】ラジオの内部構成を示す図である。
【符号の説明】
【００３７】
１  バッテリ
２  ラジオ（電気設備）
３  電源スイッチ
４  主機能電源回路
５  常時電源回路
６  ノイズ源となる他の電気機器
７  主機能部
８  補助機能部
９  保護回路
１３  開閉手段としてのリレー
１４  リレーのコイル
１５  リレー接点
１６  遅延手段としてのコンデンサ
１７  開閉手段としてのトランジスタ
【図１】
2008199690.tif 000003
【図２】
2008199690.tif 000004
【図３】
2008199690.tif 000005
【図４】
2008199690.tif 000006